(57)【要約】【課題】糸条巻取中における遮蔽板のずり落ちによるパッケージ損傷を防止することができるコンパクトな構成の糸条自動巻取り装置を提供すること。【解決手段】機台に回動自在に装着されたターレットに、糸条巻取用ボビンを保持する２本のスピンドルを突設するとともに、該２本のスピンドルの間に移動手段と該移動手段に取り付けられた遮蔽板とからなる遮蔽機構を配置し、前記移動手段に摩擦ロックアップ停止機構を設けた糸条自動巻取り装置。【選択図】図１
2006327829.tif 000002
【特許請求の範囲】
【請求項１】
機台に回動自在に装着されたターレットに、糸条巻取用ボビンを保持する２本のスピンドルを突設するとともに、該２本のスピンドルの間に移動手段と該移動手段に取り付けられた遮蔽板とからなる遮蔽機構を配置し、前記移動手段に摩擦ロックアップ停止機構を設けた糸条自動巻取り装置。
【発明の詳細な説明】
【技術分野】
【０００１】
本発明は、ターレットに突設した２本のスピンドルに連続的に供給される糸条を満巻毎に交互に切換えて巻取るようにする糸条自動巻取り装置に関するものである。
【背景技術】
【０００２】
合成繊維糸条の製造設備において、紡糸機から紡出された糸条をスピンドルが満巻になる毎に中断することなく連続的に巻き取る装置として、ターレット型巻取装置がある。このターレット型巻取装置は、機台に回動自在に装着されたターレット上に１８０度の間隔に２本のスピンドルを突設し、一方のスピンドルを、糸条を綾振りさせるトラバース機構やスピンドル上のボビンに巻かれたパッケージに所定の面圧を付与するローラベールを設けた巻取位置に配置し、他方のスピンドルを待機位置に配置するようにして、巻取位置のスピンドルが満巻になる毎にターレットを１８０度回転させ、巻取位置のスピンドルを待機位置に、待機位置のスピンドルを巻取位置に切り換えることにより糸条の連続巻取りを可能にするようにしている。
【０００３】
このようなターレット型巻取装置において、例えば、ターレットの回動により巻取位置の満巻ボビンが待機位置側に停止した際、端糸やフライ糸が巻取位置で巻取りを開始した空ボビンに巻き込まれないようにするため、２本のスピンドルの間に遮蔽機構を備えるようにした巻取り装置が提案されている（特許文献１）。
【０００４】
この遮蔽機構における遮蔽板は、巻取位置のスピンドルで巻き上げられるパッケージの成長に支障にならないように、移動手段によって２本のスピンドルの軸心間を往復移動可能に設けられ、糸条の巻取中は待機位置側（玉揚げ位置側）のスピンドルの近傍に移動して停止するようになっている。
【０００５】
しかし、従来の遮蔽機構は、２本のスピンドルの軸心間に遮蔽板が常に介在する構成になっているため、この遮蔽板の厚み分だけパッケージの大径化が不可能になるという問題があった。また、この対策として２本のスピンドルの軸心間距離を拡げたのでは、巻取装置全体が大きくなるという問題点があった。
【０００６】
また、従来の遮蔽機構の遮蔽板は、２本のスピンドルの軸心を結ぶ軸線に平行に配置したガイドロッドに摺動自在に嵌合させたスライダーに固定されると共に、ターレットの軸心を中心に回転するレバー上に設けたカム溝に係合して上下動するようになっているため、糸条巻取中に待機位置側に位置させても、遮蔽板自体の自重によって徐々に巻取位置側に下降することがあり、巻取中のパッケージに当接してパッケージを損傷する可能性もあった。
【特許文献１】特開昭６０−６１４７０号公報
【発明の開示】
【発明が解決しようとする課題】
【０００７】
本発明の目的は、糸条巻取中における遮蔽板のずり落ちによるパッケージ損傷を防止することができるコンパクトな構成の糸条自動巻取り装置を提供することにある。
【課題を解決するための手段】
【０００８】
上記目的を達成する本発明の糸条自動巻取り装置は、機台に回動自在に装着されたターレットに、糸条巻取用ボビンを保持する２本のスピンドルを突設すると共に、該２本のスピンドルの間に移動手段と該移動手段に取り付けられた遮蔽板とからなる遮蔽機構を配置し、前記移動手段に摩擦ロックアップ停止機構を設けたことを特徴とするものである。
【発明の効果】
【０００９】
本発明の糸条自動巻取り装置によれば、このように移動手段に摩擦ロックアップ停止機構を設けたことにより、糸条巻取中に遮蔽板が移動手段と共にずり落ちることがなく、遮蔽板の接触によるパッケージ損傷を防止することができる。
【００１０】
本発明では、遮蔽機構の移動手段に摩擦ロックアップ停止機構を設けたため、糸条巻取時の振動、自重等によって遮蔽板がずり落ちることがなく、その遮蔽板によりパッケージを損傷することがない。また移動手段全体の構成をコンパクトにすることができる。
【発明を実施するための最良の形態】
【００１１】
図１は、本発明の糸条自動巻取り装置の構成の１実施例を示す概略正面図、図２は図１におけるスピンドルと遮蔽機構の部分を示す斜視図である。
【００１２】
これら図において、糸条自動巻取り装置の機台１はベース１４、１５に固定され、その機台１の前面にターレット２が水平方向の軸を介して回転自在に設置されている。ターレット２には、その回転中心を挟んで２本のスピンドル３、４が１８０度の間隔に回転自在に水平方向に延長するように突設されている。この２本のスピンドル３、４には各々ボビン５、６が装着され、一方のスピンドル３は空ボビン５を装着して斜め上方の待機位置に位置し、また他方のスピンドル４はボビン６を装着して斜め下方の巻取位置に位置している。巻取位置のスピンドル４は、そのボビン６に図示しない紡糸機から連続供給される糸条Ｙをトラバース機構１１およびローラーベイル１２を介して巻き取り、パッケージ１６を形成するようにしている。また、機台１にはターレット２の外側下方に糸掛け手段１３が設置されている。
【００１３】
さらに、ターレット２上には、上記スピンドル３、４の間に移動手段７が配置されており、この移動手段７に取り付けられた遮蔽板８が移動手段７と共に往復移動するようになっている。この移動手段７は、スピンドル３、４の軸心を結ぶ軸線に対して斜めの角度αで交差する軸線に沿って移動自在に設けられており、この移動手段７の往復移動によって、遮蔽板８もスピンドル３、４の間を上記軸線に対して斜めの角度αで横断するようになっている。このように移動手段が２本のスピンドルの軸心を結ぶ軸線に対して斜めの角度で横断するようにすれば、遮蔽板を待機位置のスピンドルの近傍に位置させるとき、上記２本のスピンドルの軸心を結ぶ軸線から外れた位置にし、該軸線に遮蔽板が占める部分を可及的に少なくし、パッケージが占める領域を多くするためパッケージの大径化を可能にするものである。
【００１４】
遮蔽板８は移動手段７の上面にスピンドル３、４の軸方向と平行に延長するように固定され、かつこの遮蔽板８の両縁には糸道規制ガイド９、１０が一体的に形成されている。この遮蔽板８は、スピンドル３、４の軸方向に直交する面において、糸道規制ガイド９、１０を設けた左右に延長方向がスピンドル３、４の軸心を結ぶ軸線と直交するようになっている。移動手段８が斜めに移動する方向としては、スピンドル３、４の軸心を結ぶ軸線に対してターレット２の回転方向側に傾斜してもよく、あるいは回転方向と逆方向に傾斜してもよい。
【００１５】
遮蔽板８は板材から構成されるが、その横断面形状としては特に限定されるものではなく、図示の態様のように菱形であっても、或いは矩形、円筒等の任意の形状を採用することができる。また、板材を使用せずに単一部材から中実状に形成してもよい。両縁に設ける糸道規制ガイド９、１０は、遮蔽板８と一体に形成してもよく、別部材を固定するようにしてもよい。
【００１６】
本発明の糸条自動巻取り装置において、上述した移動手段７には、この移動手段７の移動をロックする摩擦ロックアップ停止機構が設けられている。
【００１７】
図３、図４、図５は、この移動手段７に設けられた摩擦ロックアップ停止機構の詳細を示すものである。図３、図４、図５に示すように、移動手段７は、ターレット２の上にその回転中心を挟んでマウント１７、１８を両端に固定し、このマウント１７、１８の間に、ロッドレス型のシリンダー３１とその長手方向に沿うガイド１９、２０とを取り付けている。シリンダー３１は圧空の供給によって往復移動するスライドテーブル２１を有し、そのスライドテーブル２１の表面に一対のピン２２、２３が固定されている。
【００１８】
他方、ガイド１９、２０には、一体に組付けられた枠体３０Ａ、３０Ｂ、３０Ｃ、３０Ｄ、３０Ｅ、３０Ｆがガイド１９、２０の長手方向に沿って摺動自在に装着されている。この一体の枠体３０Ａ、３０Ｂ、３０Ｃ、３０Ｄ、３０Ｅ、３０Ｆにおける上面側の枠体Ｆには、その外面側に遮蔽板８が固定され、内面側にキングピン２６が固定され、そのキングピン２６に対してロックバー２７が回動可能に枢支されている。
【００１９】
上記ロックバー２７は、前後両側に配置された枠体３０Ｂ、３０Ｃの内面に固定されたシャフト２４、２５により、キングピン２６回りの回転が規制されると共に、反対側の面をばね２８、２９によって付勢され、このばね２８、２９によるキングピン２６回りの付勢力によりロックバー２７がくさび効果によりガイド１９、２０を外側に押し広げてそれぞれ枠体３０Ａ、３０Ｄ側に強圧し、ガイド１９と枠体３０Ｄの間およびガイド１９と枠体３０Ａとの間に強い摩擦力が発生させて、一体の３０Ａ、３０Ｂ、３０Ｃ、３０Ｄ、３０Ｅ、３０Ｆを移動制止するようになっている。この制止によって、枠体３０Ｆの外面に片持ち状態に固定された遮蔽板８が、エネルギー供給が断たれたときでも不動状態に静止するようになっている。
【００２０】
本発明において、上記シリンダー３１は必ずしもロッドレス型に限定されないことはいうまでもない。上述した糸条自動巻取り装置において、満巻ボビンから空ボビンへの糸条切り替え操作は、図７（Ａ）〜（Ｄ）のように実施される。図７（Ａ）において、予め設定された量の糸条Ｙがボビン６に巻き取られてパッケージ１６が形成されると、制御装置（図示せず）からの糸条切り替え動作開始信号に基づいて、待機位置側のスピンドル３が回転を開始する。次いで、糸切り替え機構（図示せず）が作動して、糸条Ｙがトラバース装置１１のトラバース域から外され、ボビン側部の糸把持溝位置に対応する位置まで移動させられると、ターレット２が回転を始める。
【００２１】
ターレット２が回転を続けることにより、図７（Ｂ）に示されるように、ローラーベイル１２とパッケージ１０との間を走行する糸条が遮蔽板８の端縁に設けられた糸道規制ガイド９によりパッケージ幅内に規制される。次いで、ターレット２が、図７（Ｃ）に示される位置まで回転して停止すると、同時に糸掛け手段１３が作動して、糸条Ｙを空ボビン５の糸把持溝位置まで移動する。糸条Ｙが糸把持構に把持されると、ボビン５に対して糸条Ｙの巻取りが開始される。
【００２２】
上述のようにボビン５に糸条Ｙの巻取りが開始した後、図７（Ｄ）に示されるように、待機位置側のスピンドル４が回転を中止し、糸掛け手段１３が待機位置に戻る。そして、待機位置のスピンドル４からパッケージ１６が取り外された後、遮蔽板８がその待機位置のスピンドル４の方向へ移動する。上述の動作を満巻毎に繰り返すことによって、糸条Ｙを連続して巻き取ることができる。
【００２３】
上述した移動手段７に設けられた摩擦ロックアップ停止機構の作動は、次のように行われる。図３の状態から、ロッドレス型シリンダー３１のスライドテーブル２１が、図６に示す矢印の右方向に移動すると、スライドテーブル２１上のピン２２がロックバー２７を押し、ばね２８、２９を圧縮させることにより、ガイド１９、２０とロックレバー２７との間に隙間を形成するため、ガイド１９、２０に対する把持力が解除されながら、ピン２２を力点として枠体３０Ａ、３０Ｂ、３０Ｃ、３０Ｄ、３０Ｅ、３０Ｆを移動させることができる。
【００２４】
スライドテーブル２１が停止すると、ピン２２がガイドバー２７を押す力が無くなるため、図３に示されるようにばね２８、２９が再びロックバー２７を押し戻して、ガイド１９、２０を枠体３０Ａ、３０Ｄに強圧して制止状態にする。上述した摩擦ロックアップ機構は、特開昭６０−６１４７０号公報（前述特許文献１）に記載されているような２本のスピンドルの軸心を結ぶ軸線上を遮蔽板が移動する構成の巻取機に適用できることはいうまでもない。
【００２５】
本発明の糸条自動巻取り装置は、図９に示されるような従来の糸条自動巻取り装置における遮蔽板８が、２本のスピンドル３、４の軸心を結ぶ軸線上を移動すると比較して、図８に示すように、遮蔽板８を２本のスピンドル３、４の軸心を結ぶ軸線に対して斜めの角度αをなす軸線に沿って移動するように設けられているため、遮蔽板８を糸条の巻取中においてパッケージ１６の径の成長方向からずらせた位置に停止させることができるため、巻取りパッケージの大径化が可能となる。この場合、スピンドルの軸方向に直交する面における遮蔽板８の延長方向を、２本のスピンドル３、４の軸心を結ぶ軸線と直交する配置関係すれば、一層パッケージの大径化を有利にすることができる。
【００２６】
また、特開昭６０−６１４７０号公報（前述特許文献１）に記載されているような遮蔽板の移動手段は、図１１（Ａ）、（Ｂ）に示されるようなターレット２の中心を貫通する軸を中心に回転するレバーに設けたカム溝によって行われるが、本発明では図１０（Ａ），（Ｂ）に示されるように、摩擦ロックアップ停止機構を備えた直動型の移動手段７にしたから巻取中にずり落ちなどを発生することがなく、またこのような移動手段７をターレット２に配置するだけであるため、巻取り装置をコンパクトにすることが可能である。
【図面の簡単な説明】
【００２７】
【図１】図１は、本発明に係る糸条自動巻取り装置の概略正面図である。
【図２】図２は、図１に示した糸条自動巻取り装置における要部の斜視図である。
【図３】図３は、図１に示した糸条自動巻取り装置における移動手段の摩擦ロックアップ停止機構を示す概略図である。
【図４】図４は、図３におけるＩ−Ｉ矢視図である。
【図５】図５は、図４における遮蔽板と枠体との関係を示す概略斜視図である。
【図６】図６は、本発明の装置において遮蔽板の移動時の状態を示す概略図である。
【図７】図７（Ａ）（Ｂ）（Ｃ）（Ｄ）は、本発明の装置における糸切り替え動作を示す概略図である。
【図８】図８は、本発明の装置における遮蔽板と満巻パッケージとの関係を示す概略図である。
【図９】図９は、従来の装置における遮蔽板と満巻パッケージとの関係を示す概略図である。
【図１０】図１０（Ａ）（Ｂ）は、それぞれ本発明の装置における移送手段の配置を概略的に示した正面図および底面図である。
【図１１】図１１（Ａ）（Ｂ）は、それぞれ従来の装置における移送手段の配置を概略的に示した正面図および底面図である。
【符号の説明】
【００２８】
１ 機台
２ ターレット
３、４ スピンドル
５、６ ボビン
７ 移動手段
８ 遮蔽板
９、１０ 糸道規制ガイド
１１ トラバース機構
１２ ローラベイル
１３ 糸掛け手段
１７、１８ マウント
１９、２０ ガイド
２１ スライドテーブル
２２、２３ ピン
２４、２５ シャフト
２６ キングピン
２７ ロックバー
２８、２９ バネ
３１ シリンダー
３０Ａ、３０Ｂ、３０Ｃ、３０Ｄ、３０Ｅ、３０Ｆ 枠体
【図１】
2006327829.tif 000003
【図２】
2006327829.tif 000004
【図３】
2006327829.tif 000005
【図４】
2006327829.tif 000006
【図５】
2006327829.tif 000007
【図６】
2006327829.tif 000008
【図７】
2006327829.tif 000009
【図８】
2006327829.tif 000010
【図９】
2006327829.tif 000011
【図１０】
2006327829.tif 000012
【図１１】
2006327829.tif 000013